(57)【要約】      （修正有）【課題】ラジオコントロール送信機のアンテナを改良し、且つアンテナ装着構造を改善して使い勝手を良くし、商品価値を高めたラジオコントロール送信機用アンテナ、及びその取付構造を提供する。【解決手段】基板、若しくはチップ状の平面アンテナであって、平面部にのアンテナパターンに対して垂直方向に放射パターンを形成できるアンテナを、ラジオコントロール送信機の把手部、アーム部、筐体部等の内部に装着したアンテナ、及び取付構造であり、このラジオコントロール送信機で被操縦体を操縦する時に前記平面アンテナの放射パターンが略被操縦体方向に向くように内蔵固定した。【選択図】図２
0003146775.tif 000002
【実用新案登録請求の範囲】
【請求項１】
誘電体による長方形の平面基板にアンテナパターンを形成して平面アンテナとし、該平面アンテナはその平面に対して略垂直方向に放射パターンを放射することができる平面アンテナであって、該平面アンテナをラジコン送信機の筐体内に内蔵したことを特徴とする、ラジコン送信機用アンテナ及びその取付け構造。
【請求項２】
前記平面状のアンテナを、ラジコン送信機の把手部に内蔵したことを特徴とする、請求項１に記載のラジコン送信機用アンテナ及びその取付構造。
【請求項３】
前記平面状のアンテナを、ラジコン送信機の筐体の上方部に内蔵したことを特徴とする請求項１に記載のラジコン送信機用アンテナ及びその取付け構造。
【請求項４】
アンテナは、長方形の平面基板の一つの面に、折り返し形のアンテナ部と励振器を形成し、該励振器の一端に、ＲＦ基板に接続された同軸ケーブルを接続して給電し、前記平面基板の裏面をスルーホールを通して地板面とした指向性アンテナであることを特徴とする請求項１及び請求項２、及び請求項３に記載のラジコン送信機用アンテナ。
【請求項５】
アンテナは、長方形の平面基板の略中央部に長さ方向のスリットを形成し、前記スリットにまたがって給電部を形成したことを特徴とする請求項１、及び請求項２、及び請求項３に記載のラジコン送信機用アンテナ。
【請求項６】
ラジコン送信機の把手部内部に、左右一対の平面アンテナを互いに離して設置し、それらを給電してダイバーシチ送信が可能としたことを特徴とする、請求項１に記載のラジコン送信機用アンテナの取付構造。
【請求項７】
平面アンテナをラジコン送信機の左右のアーム部に各々１個内蔵して設置し、それらを給電してダイバーシチ送信が可能としたことを特徴とする、請求項１に記載のラジコン送信機用アンテナの取付け構造。
【請求項８】
平面アンテナを、ラジコン送信機の筐体の上方内部の左右に、各々１個を互いに離して内蔵固定し、それらを給電してダイバーシチ送信が可能としたことを特徴とする、請求項１に記載のラジコン送信機用アンテナの取付け構造。
【請求項９】
平面アンテナは、筐体若しくは把手部の壁面内部に一体的に設けたボス部と筐体壁の間に、若しくはボス部とボス部の間に嵌め込み固定することを特徴とする、請求項１、２項、及び請求項６，７，８項記載のラジコン送信機用アンテナの取付け構造。
【考案の詳細な説明】
【技術分野】
【０００１】  本考案は、ラジコン送信機用の内蔵アンテナ、及びその取付構造に関する。
【背景技術】
【０００２】  図７（Ａ）に示す従来の一般的なラジコン送信機１００は、左右に一対のスティックレバー１０２、１０２を有し、このスティックレバー１０２、１０２等の操作によってホイップアンテナ１０７より送信電波が出力され、この送信電波を被操縦体１０６の受信機で受信し、その受信信号に基づいて被操縦体を遠隔制御するものである。
なお、前記ホイップアンテナ１０７は一般的にラジコン送信機の上部に取り付けているため、先端方向は、被操縦体１０６方向を向いていることになる。
電波の周波数は２．４５ＧＨｚ帯を使用する。【０００３】  ところで図７（Ｂ）は、図７（Ａ）に示したＸＹＺ軸を基準としてホイップアンテナ１０７の放射パターンを示した図である。
これによると放射パターンはＸ軸方向に放射が強く、本来は被操縦体１０６方向であるＺ軸方向により強い放射ビームが必要であるにも係わらず、Ｚ軸方向はヌル点となっており、放射が弱い状況となっている。
【考案の開示】
【考案が解決しようとする課題】
【０００４】  ところで、この従来のラジコン送信機のホイップアンテナに於いては、図７の（Ｂ）に示すように、ホイップアンテナゆえの放射パターンがＸ軸方向に大きくとれ、被操縦体方向のＺ軸方向へは取れにくい状況となっている。
このため、通信距離が大きく取れず、ラジコン送信機と被操縦体との間の通信距離が大きく取れないなどのため、操縦者と被操縦体の距離が稼ぎにくいなどの課題点が生じていた。【０００５】  また、ホイップアンテナをラジコン送信機の筐体外部に取りつけてあるので、持ち運びにおいて、アンテナが器物に接触したり、送信機を落としたりして折損する等のトラブルを起こす恐れがあり、この点からもアンテナの内蔵化が求められていた。
これらの課題点を解決することが本考案の目的とするところである。
【課題を解決するための手段】
【０００６】  上記課題を解決すべく請求項１に係るラジコン送信機用アンテナは、ラジコン送信機用アンテナとして平面アンテナの一方にアンテナパターンを形成し、他方に地板面を形成し、よって被操縦体方向に放射パターン得られるようにした指向性形の誘電体平面アンテナであって、この平面アンテナをラジコン送信機の筐体内、若しくは把手部内に内蔵したアンテナであり、その取付け構造に関するものである。【０００７】  請求項２に係るラジコン送信機用アンテナは、ラジコン送信機の筐体と一体的に成形した把手部の内部に請求項１に記載の平面アンテナを内蔵したものであって、ラジコン送信機の被操縦体方向に向けた放射パターンが得られるように取付け固定した。
そのため、ラジコン送信機の筐体内の無線回路部からより遠い位置にアンテナが設置されるので、筐体内の電気的ノイズによる干渉を起こしにくい。
また、ラジコン送信機を操作する時の操縦者と比較的遠い位置関係になり、極めてめて優位な箇所にアンテナを設置したので、取扱が便利であるばかりか、アンテナの放射パターンに悪い影響が出ない等利点がある。【０００８】  請求項３に係るラジコン送信機用のアンテナは、ラジコン送信機の筐体の上方部の内面に装着したので、取付けスペースも充分に余裕をもって取ることができ、たとえ、把手部にアンテナを装着するスペースがないような場合でも、また、把手部を持たない送信機の場合や、把手部が筐体内に収納される方式等の場合においてもアンテナの内蔵化ができる等の優位性がある。その上、アンテナ内蔵であるから、折損等のトラブルが生じにくいなどの課題点を解決できる。【０００９】  請求項４に係るラジコン送信機用のアンテナは、請求項１，２，３に記載のアンテナであって、平面基板の一つの面に折り返し形のアンテナ部と励振器を備えて静電容量結合でアンテナを構成し、もう一方の面には地板面を形成したので、アンテナ放射パターンがアンテナ基板に対して略垂直方向に形成されるので、被操縦体に対して通信距離が稼げる等の優位性が期待できる。【００１０】  請求項５に係るラジコン送信機用のアンテナは、請求項１、請求項２、請求項３に記載のラジコン送信機用アンテナであって、平面基板を繰り抜きしてスリットを形成しスロットアンテナとしたので、アンテナ放射パターンがアンテナ基板に対して略垂直方向に形成され、被操縦体に対して垂直方向に放射パターンが得られる。
従って、被操縦体に対して通信距離が稼げる等の優位性が期待できる。【００１１】  請求項６に係るラジコン送信機用のアンテナは、ラジコン送信機の把手部内部に左右一対のアンテナを互いに離して設置し、ダイバーシチアンテナを形成したので、被操縦体がラジコン送信機の中心線延長線から左右に移動しても、より強いビームの電波の方を受信することが出来、ラジコン操縦に優位である。【００１２】  請求項７に係るラジコン送信機用のアンテナは、ラジコン送信機の把手部を形成する左右のアーム部の内部にアンテナをそれぞれ装着してダイバーシチアンテナを形成したので、被操縦体において、より強い方の電波を受信できる利点がある。【００１３】  請求項８に係るラジコン送信機用のアンテナは、一対のアンテナを筐体の上方内部の左右に内蔵固定したので、把手部を持たないラジコン送信機の筐体であっても、ダイバーシチ効果が得られて優位である。【００１４】  請求項９に係るラジコン送信機用のアンテナ取付構造は、ラジコンの筐体や把手部、若しくはそのアーム部にボス部を複数構成し、このボス部と筐体等の壁部との間に挟んで装着できること、または複数のボス部とボス部を互いに対峙さえて構成し、このボス部の間にアンテナを装着するので、取付構造が簡単で組立作業性が良い。
また、これらの方法でアンテナを装着した筐体に対して、次に他の筐体を合わせて筐体の全体を組立てするので、アンテナが確実に抜け止め固定される。
【考案の効果】
【００１５】  以上説明したように本考案によれば、ラジコン送信機の把手部内や筐体内に、誘電体基板や誘電体チップによる長方形の平面アンテナを内蔵し、この平面アンテナが略被操縦体方向に向けて放射パターンを放射するようにしたので、これまでのホイップアンテナの電波放射パターンと比べて、より被操縦体方向に向けるようにしたので、ラジコン送信機と被操縦体との通信距離を稼げるなどの効果が期待できる。【００１６】  また、これまでの外付けホイップアンテナと異なり、ラジコン送信機からアンテナが突出しないため、持ち運びに便利であるばかりでなく、器物に接触したり、落としたりしてもアンテナの破損が生じにくくなるなどの効果が得られる。【００１７】  また、本考案の平面アンテナを把手部や筐体に一体的に複数形成したボス部と筐体の壁部との間で、また複数のボス部と対抗する他のボス部との間に挟み込み、送信機筐体の合わせ構造により、筐体を開かなければアンテナが外れない取付構造となっていることから、容易にしかも強固にアンテナを内蔵し、取付けることの出来るアンテナ取付構造を提供することが出来る。【００１８】  また、本考案の平面アンテナを左右一対、離して取付けることによりダイバーシチアンテナが構成でき、被操縦体側でより強い電波を受信することができるなどの効果が期待できる。【００１９】  また、把手部内にアンテナを内蔵した場合は、ラジコン送信機の内部回路と離して遠くにアンテナを設置できるので、内部回路の電気的ノイズとの干渉を軽減することが出来るなどの効果が期待できる。
【考案を実施するための最良の形態】
【００２０】  以下、本考案の実施形態を図に基づいて詳細に説明する。【００２１】  上記したように、ラジコン送信機の把手部内や筐体内に指向性をもった平面アンテナを、簡単に且つ強固に取付けることができ、放射パターンが被操縦体の方向へ大きく取れるようにしたので、結果的には送信機と被操縦体との通信距離を大きくとれるようにしたことと、及びアンテナを内蔵したことで、従来の外付けホイップアンテナの場合と異なり、雨水等の浸入を容易に防ぐことができるなどの効果も期待できる。
【実施例】
【００２２】  図１（Ａ）は、本実施例のラジコン送信機１の正面図であり、図１（Ｂ）は図１（Ａ）の右側面図である。
２は前記ラジコン送信機１の筐体であり、正面には左右一対のスティックレバー３，３があり、これらによって被操縦体を操作する。
ラジコン送信機１の把手部４には長さ方向に平面状のアンテナ５が内蔵されている。
把手部４は筐体２から角度θだけ傾斜をもって前記筐体２と一体的に樹脂成形されており、この把手部４に平面状のアンテナ５を水平に取付けるので、ラジコン操作時に被操縦体がヘリコプター玩具のような空中飛行するものであれば、その方向にアンテナ放射パターンが向くようになっている。
前記筐体２において、合わせ面２ａは筐体２が前方と後方に別れていることから、これらをアンテナ装着後に合わせて嵌め合いか若しくは接着、ネジ止め等で固定すれば、その時点でアンテナ５は、筐体２の内部に保持される。【００２３】  図２（Ａ）は、図１に示したアンテナの具体的な取付構造を示した一部断面図としたラジコン送信機１の正面図である。
ラジコン送信機１の筐体２に一体的に形成された把手部４を形成しており、この筐体は側面に合わせ面２ａの線が見えるように二つの成形部材が合わせられて一体的に形成されていて、一方の筐体成形部材に複数のボス部８，８，８が形成されており、このボス部と把手下壁部４ａとの間に出来る隙間にアンテナ５を挿入し、該アンテナ５の平面部が上に向くように取付ける。
前記アンテナ５は、ラジコン送信機の無線回路部分であるＲＦ基板７の出力回路部に接続されている同軸ケーブル６によって給電されている。【００２４】  図２（Ｂ）は把手部４のＡ−Ａ′断面図である。
ボス部８は把手部と一体的に形成されており、把手下壁部４ａの内壁面とボス部８との隙間にアンテナ５が差し込まれて固定され、もう一方の筐体が合わさって内蔵固着される。【００２５】  図３は、アンテナ５をラジコン送信機１の他の箇所に内蔵固定する実施例である。
この実施例は、筐体２の比較的上部付近に複数の上ボス部９ａ、９ｂ、９ｃと、下側に位置する複数の下ボス部１０ａ、１０ｂ、１０ｃが対峙して筐体２と一体的に設けられており、この上ボス部と下ボス部の間に平面状のアンテナ５を装着するものである。そしてＲＦ基板に接続された同軸ケーブル６によってアンテナ５に給電する。
このアンテナ取りつけ箇所の場合は、把手部を持たないラジコン送信機であったり、把手部が筐体に対して回動若しくは収納式であって、ラジコン操縦時には把手部が操縦者の目に入らない位置に格納する場合に適している。【００２６】  図４は、本案のラジコン送信機１に装着するアンテナ５の１実施例図である。
図４（Ａ）は平面図、（Ｂ）は底面図、（Ｃ）は側面図を示す。
図４（Ａ）においてアンテナ５は、アンテナ基板５ａの表面にジグザグのミアンダアンテナ部５ｂがパターン形成されており、これに非接触で励振器５ｃがパターン形成されている。
励振器５ｃの近傍には非接触で地板５ｄがパターン形成されており、この地板５ｄには、底面の地板５ｅに同通されるスルーホール５ｆが設けられていて充分なアース接地が可能なように形成されている。このように、本アンテナはミアンダアンテナ部５ｂに励振器５ｃを介して静電容量結合されるので、広帯域なアンテナ特性が得られ、且つ、平面アンテナ部に対して垂直方向に放射ビームが形成される。従って、本ラジコン送信機１の把手部若しくは筐体の上部付近に内蔵することによって必然的に本アンテナは被操縦体方向に対して略直角に固定されることから、アンテナの放射パターンはヘリコプター玩具のような飛翔体による被操縦体方向に向けて放射パターンが形成されるものである。【００２７】  図５は他のアンテナの実施例図である。
図５（Ａ）はその平面図、（Ｂ）は側面図である。
図５（Ａ）において、本平面アンテナ５０は誘電体基板５０ａに略Ｕ字状の切欠きでスリット５１を形成し、残りの面はアンテナの放射面である。
なお、スリット５１はＵ字状でなく、単に長方形のスリットでもよい。
また、この放射面にはスリット５１をまたがって給電部５２が形成されている。
このような誘電体基板５０ａは、高誘電率の例えば誘電体セラミックなどを用いて小型のチップアンテナにすることも可能である。【００２８】  図６はラジコン送信機１の内部に平面アンテナ若しくはチップアンテナを左右一対装着してダイバーシチアンテナとすることの取付構造を示す実施例である
図６（Ａ）において、右アンテナ５ｇと左アンテナ５ｈを把手部４の内部に離して装着した例を示す。
アンテナの固定方法は図２で示した複数のボス部と、図示しないが把手下壁部の間に装着する方法である。
アンテナへの給電はＲＦ基板７に接続された同軸ケーブル６ａを右アンテナ５ｇに接続し、同軸ケーブル５ｈを左アンテナに接続して行なう。【００２９】  図６（Ｂ）の実施例は、ラジコン送信機の把手部４を立ち上げるアーム部４ａの中に右アンテナ５ｇを、アーム部４ｂの内部に左アンテナ５ｈを装着したダイバーシチアンテナの一例である。
アンテナの固定方法は左右のアーム部４ａ、４ｂの内部に（図示しないが）、図２と同様のボス部を一体的に設け、これとアーム部４ａ、４ｂの壁面部内に右アンテナ５ａ、５ｂをそれぞれ装着し固定する方法である。
アンテナへの給電はＲＦ基板７に接続された同軸ケーブル６ａ、６ｂにて図６（Ａ）の場合と同様に行なう。【００３０】  図６（Ｃ）の実施例は、ラジコン送信機の筐体２の上段部の内面付近に左右に一対の内蔵アンテナを装着したダイバーシチアンテナの実施例である。
この場合把手部４が無かったり、あっても筐体２内に収納されたりする場合のラジコン送信機の筐体２内にダイバーシチアンテナを内蔵する場合、好適であり、図３に示すように複数の上ボス部と複数の下ボス部の間にアンテナを装着することで固定する。
アンテナへの給電はＲＦ基板７に接続された同軸ケーブル６ａ、６ｂにて図６（Ａ）と同様に行なう。【００３１】  以上のように、本考案の実施形態によれば、平面アンテナを内蔵した場合の実施例であるが、アンテナは一般的な平面基板にアンテナパターンを形成する場合であっても良いし、誘電体セラミックのように誘電率を高くすることによりチップ状アンテナとした平面アンテナであっても良い。【００３２】  アンテナ取付け構造は、筐体若しくは把手部と一体のボス部と筐体や把手部の壁部との間に装着する実施例をあげたが、アンテナを接着剤若しくはネジ止め等によって固定してもよい。【００３３】  また、図示しないが、ラジコン送信機の把手部を立ち上げるアーム部の基部をヒンジ機構として、図１（Ｂ）に示す把手部の角度θを変えて、被操縦体が地面や水面を走る模型の場合等と、空中を飛ぶヘリコプターや飛行機の模型などの場合とで、アンテナの仰角などの位置を変えて放射パターン角を変えることも可能である。
【産業上の利用可能性】
【００３４】  本考案によれば、ラジコン送信機として模型飛行機などのレジャー産業に利用できるばかりか、無人の農薬散布飛行体の無線操縦機などにも利用可能である。
【図面の簡単な説明】
【００３５】
【図１】（Ａ）は、本考案の実施形態に係る、一般的なラジコン送信機の把手部の内部にアンテナを挿入した状態を示す正面図である。（Ｂ）は、（Ａ）における側面図である。
【図２】（Ａ）は、本考案の実施形態に係る図１（Ａ）のアンテナ実装状態を示した一部破断面としたラジコン送信機の正面図である。（Ｂ）は、（Ａ）のＡ−Ａ′断面を示す図である。
【図３】は、本考案の実施形態に係る、アンテナの他の取付構造の実施例図であって、一般的なラジコン送信機の一部破断面とした正面図である。
【図４】（Ａ）は、本考案の実施形態に係るアンテナの平面図である。（Ｂ）は、（Ａ）の底面図である。（Ｃ）は、（Ａ）の側面図である。
【図５】（Ａ）は、本考案の他の実施形態に係るアンテナの平面図である。（Ｂ）は、（Ａ）の側面図である。
【図６】（Ａ）は、本考案の他の実施例図であって、一般的ラジコン送信機の把手部に一対のアンテナを離して装着してダイバーシチアンテナとし、一部破断面としたラジコン送信機の正面図である。（Ｂ）は、本考案の他の実施例図であって、一般的ラジコン送信機の左右のアーム部にアンテナを装着してダイバーシチアンテナとし、一部破断面としたラジコン送信機の正面図である。（Ｃ）は、本考案の他の実施例図であって、一般的ラジコン送信機の筐体の上方に左右一対のアンテナを装着してダイバーシチアンテナとした、ラジコン送信機の一部破断面としたラジコン送信機の正面図である。
【図７】（Ａ）は、従来例を示すラジコン送信機の斜視図であって、ホイップアンテナ送信機の上端部に取り付けられ、且つ、ホイップアンテナの先端方向我が被操縦体方向に向くように取り付けられている図である。（Ｂ）は、（Ａ）のＸ軸方向に放射ビームが形成されるパターン図である。
【符号の説明】
【００３６】１      ラジコン送信機
２      筐体
２ａ    合わせ面
３  、３  スティックレバー
４      把手部
４ａ、４ｂ    アーム部
５      アンテナ
５ａ    アンテナ基板
５ｂ    ミアンダアンテナ部
５ｃ    励振器
５ｄ    地板
５ｅ    スルーホール
５ｇ    右アンテナ
５ｈ    左アンテナ
５０    平面アンテナ
５０ａ  誘電体基板
５１    スリット
５２    給電部
５３    放射面
６      同軸ケーブル
７      ＲＦ基板
８、８、８    ボス部
９ａ、９ｂ、９ｃ    上ボス部
１０ａ、１０ｂ、１０ｃ    下ボス部
【図１】
0003146775.tif 000003
【図２】
0003146775.tif 000004
【図３】
0003146775.tif 000005
【図４】
0003146775.tif 000006
【図５】
0003146775.tif 000007
【図６】
0003146775.tif 000008
【図７】
0003146775.tif 000009
【手続補正書】
【提出日】平成20年9月1日(2008.9.1)
【手続補正１】
【補正対象書類名】実用新案登録請求の範囲
【補正対象項目名】全文
【補正方法】変更
【補正の内容】
【実用新案登録請求の範囲】
【請求項１】
誘電体による長方形の平面基板にアンテナパターンを形成して平面アンテナとし、該平面アンテナはその平面に対して略垂直方向に放射パターンを放射することができる平面アンテナであって、該平面アンテナをラジオコントロール送信機の筐体内に内蔵したことを特徴とする、ラジオコントロール送信機用アンテナの取付け構造。
【請求項２】
前記平面状のアンテナを、ラジオコントロール送信機の把手部に内蔵したことを特徴とする、請求項１に記載のラジオコントロール送信機用アンテナの取付構造。
【請求項３】
前記平面状のアンテナを、ラジオコントロール送信機の筐体の上方部に内蔵したことを特徴とする請求項１に記載のラジオコントロール送信機用アンテナの取付け構造。
【請求項４】
アンテナは、長方形の平面基板の一つの面に、折り返し形のアンテナ部と励振器を形成し、該励振器の一端に、ＲＦ基板に接続された同軸ケーブルを接続して給電し、前記平面基板の裏面をスルーホールを通して地板面とした指向性アンテナであることを特徴とする請求項１から請求項３のいずれか一項に記載のラジオコントロール送信機用アンテナ。
【請求項５】
アンテナは、長方形の平面基板の略中央部に長さ方向のスリットを形成し、前記スリットにまたがって給電部を形成したことを特徴とする請求項１から請求項３のいずれか一項に記載のラジオコントロール送信機用アンテナ。
【請求項６】
ラジオコントロール送信機の把手部内部に、左右一対の平面アンテナを互いに離して設置し、それらを給電してダイバーシチ送信が可能としたことを特徴とする、請求項１に記載のラジオコントロール送信機用アンテナの取付構造。
【請求項７】
平面アンテナをラジオコントロール送信機の左右のアーム部に各々１個内蔵して設置し、それらを給電してダイバーシチ送信が可能としたことを特徴とする、請求項１に記載のラジオコントロール送信機用アンテナの取付け構造。
【請求項８】
平面アンテナを、ラジオコントロール送信機の筐体の上方内部の左右に、各々１個を互いに離して内蔵固定し、それらを給電してダイバーシチ送信が可能としたことを特徴とする、請求項１に記載のラジオコントロール送信機用アンテナの取付け構造。
【請求項９】
平面アンテナは、筐体若しくは把手部の壁面内部に一体的に設けたボス部と筐体壁の間に、若しくはボス部とボス部の間に嵌め込み固定することを特徴とする、請求項１から２項、及び請求項６から８項のいずれか一項に記載のラジオコントロール送信機用アンテナの取付け構造。
【手続補正３】
【補正対象書類名】明細書
【補正対象項目名】０００１
【補正方法】変更
【補正の内容】
【０００１】  本考案は、ラジオコントロール送信機用の内蔵アンテナ、及びその取付構造に関する。
【手続補正４】
【補正対象書類名】明細書
【補正対象項目名】０００２
【補正方法】変更
【補正の内容】
【０００２】  図７（Ａ）に示す従来の一般的なラジオコントロール送信機１００は、左右に一対のスティックレバー１０２、１０２を有し、このスティックレバー１０２、１０２等の操作によってホイップアンテナ１０７より送信電波が出力され、この送信電波を被操縦体１０６の受信機で受信し、その受信信号に基づいて被操縦体を遠隔制御するものである。  なお、前記ホイップアンテナ１０７は一般的にラジオコントロール送信機の上部に取り付けているため、先端方向は、被操縦体１０６方向を向いていることになる。  電波の周波数は２．４５ＧＨｚ帯を使用する。
【手続補正５】
【補正対象書類名】明細書
【補正対象項目名】０００４
【補正方法】変更
【補正の内容】
【０００４】  ところで、この従来のラジオコントロール送信機のホイップアンテナに於いては、図７の（Ｂ）に示すように、ホイップアンテナゆえの放射パターンがＸ軸方向に大きくとれ、被操縦体方向のＺ軸方向へは取れにくい状況となっている。  このため、通信距離が大きく取れず、ラジコン送信機と被操縦体との間の通信距離が大きく取れないなどのため、操縦者と被操縦体の距離が稼ぎにくいなどの課題点が生じていた。
【手続補正６】
【補正対象書類名】明細書
【補正対象項目名】０００５
【補正方法】変更
【補正の内容】
【０００５】  また、ホイップアンテナをラジオコントロール送信機の筐体外部に取りつけてあるので、持ち運びにおいて、アンテナが器物に接触したり、送信機を落としたりして折損する等のトラブルを起こす恐れがあり、この点からもアンテナの内蔵化が求められていた。  これらの課題点を解決することが本考案の目的とするところである。
【手続補正７】
【補正対象書類名】明細書
【補正対象項目名】０００６
【補正方法】変更
【補正の内容】
【０００６】  上記課題を解決すべく請求項１に係るラジオコントロール送信機用アンテナは、平面アンテナの一方にアンテナパターンを形成し、他方に地板面を形成し、よって被操縦体方向に放射パターン得られるようにした指向性形の誘電体平面アンテナであって、この平面アンテナをラジオコントロール送信機の筐体内、若しくは把手部内に内蔵したアンテナであり、その取付け構造に関するものである。
【手続補正８】
【補正対象書類名】明細書
【補正対象項目名】０００７
【補正方法】変更
【補正の内容】
【０００７】  請求項２に係るラジオコントロール送信機用アンテナは、ラジオコントロール送信機の筐体と一体的に成形した把手部の内部に請求項１に記載の平面アンテナを内蔵したものであって、ラジオコントロール送信機の被操縦体方向に向けた放射パターンが得られるように取付け固定した。  そのため、ラジオコントロール送信機の筐体内の無線回路部からより遠い位置にアンテナが設置されるので、筐体内の電気的ノイズによる干渉を起こしにくい。  また、ラジオコントロール送信機を操作する時の操縦者と比較的遠い位置関係になり、極めて優位な箇所にアンテナを設置したので、取扱が便利であるばかりか、アンテナの放射パターンに悪い影響が出ない等利点がある。
【手続補正９】
【補正対象書類名】明細書
【補正対象項目名】０００８
【補正方法】変更
【補正の内容】
【０００８】  請求項３に係るラジオコントロール送信機用のアンテナは、ラジオコントロール送信機の筐体の上方部の内面に装着したので、取付けスペースも充分に余裕をもって取ることができ、たとえ、把手部にアンテナを装着するスペースがないような場合でも、また、把手部を持たない送信機の場合や、把手部が筐体内に収納される方式等の場合においてもアンテナの内蔵化ができる等の優位性がある。その上、アンテナ内蔵であるから、折損等のトラブルが生じにくいなどの課題点を解決できる。
【手続補正１０】
【補正対象書類名】明細書
【補正対象項目名】０００９
【補正方法】変更
【補正の内容】
【０００９】  請求項４に係るラジオコントロール送信機用のアンテナは、請求項１，２，３のいずれか一項に記載のアンテナであって、平面基板の一つの面に折り返し形のアンテナ部と励振器を備えて静電容量結合でアンテナを構成し、もう一方の面には地板面を形成したので、アンテナ放射パターンがアンテナ基板に対して略垂直方向に形成されるので、被操縦体に対して通信距離が稼げる等の優位性が期待できる。
【手続補正１１】
【補正対象書類名】明細書
【補正対象項目名】００１０
【補正方法】変更
【補正の内容】
【００１０】  請求項５に係るラジオコントロール送信機用のアンテナは、請求項１、請求項２、請求項３のいずれか一項に記載のラジオコントロール送信機用アンテナであって、平面基板を繰り抜きしてスリットを形成しスロットアンテナとしたので、アンテナ放射パターンがアンテナ基板に対して略垂直方向に形成され、被操縦体に対して垂直方向に放射パターンが得られる。  従って、被操縦体に対して通信距離が稼げる等の優位性が期待できる。
【手続補正１２】
【補正対象書類名】明細書
【補正対象項目名】００１１
【補正方法】変更
【補正の内容】
【００１１】  請求項６に係るラジオコントロール送信機用のアンテナは、ラジオコントロール送信機の把手部内部に左右一対のアンテナを互いに離して設置し、ダイバーシチアンテナを形成したので、被操縦体がラジコン送信機の中心線延長線から左右に移動しても、より強いビームの電波の方を受信することが出来、ラジオコントロール操縦に優位である。
【手続補正１３】
【補正対象書類名】明細書
【補正対象項目名】００１２
【補正方法】変更
【補正の内容】
【００１２】  請求項７に係るラジオコントロール送信機用のアンテナは、ラジオコントロール送信機の把手部を形成する左右のアーム部の内部にアンテナをそれぞれ装着してダイバーシチアンテナを形成したので、被操縦体において、より強い方の電波を受信できる利点がある。
【手続補正１４】
【補正対象書類名】明細書
【補正対象項目名】００１３
【補正方法】変更
【補正の内容】
【００１３】  請求項８に係るラジオコントロール送信機用のアンテナは、一対のアンテナを筐体の上方内部の左右に内蔵固定したので、把手部を持たないラジオコントロール送信機の筐体であっても、ダイバーシチ効果が得られて優位である。
【手続補正１５】
【補正対象書類名】明細書
【補正対象項目名】００１４
【補正方法】変更
【補正の内容】
【００１４】  請求項９に係るラジオコントロール送信機用のアンテナ取付構造は、ラジオコントロールの筐体や把手部、若しくはそのアーム部にボス部を複数構成し、このボス部と筐体等の壁部との間に挟んで装着できること、または複数のボス部とボス部を互いに対峙さえて構成し、このボス部の間にアンテナを装着するので、取付構造が簡単で組立作業性が良い。  また、これらの方法でアンテナを装着した筐体に対して、次に他の筐体を合わせて筐体の全体を組立てするので、アンテナが確実に抜け止め固定される。
【手続補正１６】
【補正対象書類名】明細書
【補正対象項目名】００１５
【補正方法】変更
【補正の内容】
【００１５】  以上説明したように本考案によれば、ラジオコントロール送信機の把手部内や筐体内に、誘電体基板や誘電体チップによる長方形の平面アンテナを内蔵し、この平面アンテナが略被操縦体方向に向けて放射パターンを放射するようにしたので、これまでのホイップアンテナの電波放射パターンと比べて、より被操縦体方向に向けるようにしたので、ラジオコントロール送信機と被操縦体との通信距離を稼げるなどの効果が期待できる。
【手続補正１７】
【補正対象書類名】明細書
【補正対象項目名】００１６
【補正方法】変更
【補正の内容】
【００１６】  また、これまでの外付けホイップアンテナと異なり、ラジオコントロール送信機からアンテナが突出しないため、持ち運びに便利であるばかりでなく、器物に接触したり、落としたりしてもアンテナの破損が生じにくくなるなどの効果が得られる。
【手続補正１８】
【補正対象書類名】明細書
【補正対象項目名】００１９
【補正方法】変更
【補正の内容】
【００１９】  また、把手部内にアンテナを内蔵した場合は、ラジオコントロール送信機の内部回路と離して遠くにアンテナを設置できるので、内部回路の電気的ノイズとの干渉を軽減することが出来るなどの効果が期待できる。
【手続補正１９】
【補正対象書類名】明細書
【補正対象項目名】００２１
【補正方法】変更
【補正の内容】
【００２１】  上記したように、ラジオコントロール送信機の把手部内や筐体内に指向性をもった平面アンテナを、簡単に且つ強固に取付けることができ、放射パターンが被操縦体の方向へ大きく取れるようにしたので、結果的には送信機と被操縦体との通信距離を大きくとれるようにしたことと、及びアンテナを内蔵したことで、従来の外付けホイップアンテナの場合と異なり、雨水等の浸入を容易に防ぐことができるなどの効果も期待できる。
【手続補正２０】
【補正対象書類名】明細書
【補正対象項目名】００２２
【補正方法】変更
【補正の内容】
【００２２】  図１（Ａ）は、本実施例のラジオコントロール送信機１の正面図であり、図１（Ｂ）は図１（Ｃ）の右側面図である。  ２は前記ラジオコントロール送信機１の筐体であり、正面には左右一対のスティックレバー３，３があり、これらによって被操縦体を操作する。  ラジオコントロール送信機１の把手部４には長さ方向に平面状のアンテナ５が内蔵されている。把手部４は筐体２から角度θだけ傾斜をもって前記筐体２と一体的に樹脂成形されており、この把手部４に平面状のアンテナ５を水平に取付けるので、ラジオコントロール操作時に被操縦体がヘリコプター玩具のような空中飛行するものであれば、その方向にアンテナ放射パターンが向くようになっている。  前記筐体２において、合わせ面２ａは筐体２が前方と後方に別れていることから、これらをアンテナ装着後に合わせて嵌め合いか若しくは接着、ネジ止め等で固定すれば、その時点でアンテナ５は、筐体２の内部に保持される。
【手続補正２１】
【補正対象書類名】明細書
【補正対象項目名】００２３
【補正方法】変更
【補正の内容】
【００２３】  図１２（Ａ）は、図１に示したアンテナの具体的な取付構造を示した一部断面図としたラジオコントロール送信機１の正面図である。ラジオコントロール送信機１の筐体２に一体的に形成された把手部４を形成しており、この筐体は側面に合わせ面２ａの線が見えるように二つの成形部材が合わせられて一体的に形成されていて、一方の筐体成形部材に複数のボス部８，８，８が形成されており、このボス部と把手下壁部４ａとの間に出来る隙間にアンテナ５を挿入し、該アンテナ５の平面部が上に向くように取り付ける。  前記アンテナ５は、ラジオコントロール送信機の無線回路部分であるＲＦ基板７の出力回路に接続されている同軸ケーブル６によって給電されている。
【手続補正２２】
【補正対象書類名】明細書
【補正対象項目名】００２５
【補正方法】変更
【補正の内容】
【００２５】  図３は、アンテナ５をラジオコントロール送信機１の他の箇所に内蔵固定する実施例である。  この実施例は、筐体２の比較的上部付近に複数の上ボス部９ａ、９ｂ、９ｃと、下側に位置する複数の下ボス部１０ａ、１０ｂ、１０ｃが対峙して筐体２と一体的に設けられており、この上ボス部と下ボス部の間に平面状のアンテナ５を装着するものである。そしてＲＦ基板に接続された同軸ケーブル６によってアンテナ５に給電する。  このアンテナ取りつけ箇所の場合は、把手部を持たないラジオコントロール送信機であったり、把手部が筐体に対して回動若しくは収納式であって、ラジオコントロール操縦時には把手部が操縦者の目に入らない位置に格納する場合に適している。
【手続補正２３】
【補正対象書類名】明細書
【補正対象項目名】００２６
【補正方法】変更
【補正の内容】
【００２６】  図４は、本案のラジオコントロール送信機１に装着するアンテナ５の１実施例図である。  図４（Ａ）は平面図、（Ｂ）は底面図、（Ｃ）は側面図を示す。  図４（Ａ）においてアンテナ５は、アンテナ基板５ａの表面にジグザグのミアンダアンテナ部５ｂがパターン形成されており、これに非接触で励振器５ｃがパターン形成されている。  励振器５ｃの近傍には非接触で地板５ｄがパターン形成されており、この地板５ｄには、底面の地板５ｅに同通されるスルーホール５ｆが設けられていて充分なアース接地が可能なように形成されている。このように、本アンテナはミアンダアンテナ部５ｂに励振器５ｃを介して静電容量結合されるので、広帯域なアンテナ特性が得られ、且つ、平面アンテナ部に対して垂直方向に放射ビームが形成される。従って、本ラジオコントロール送信機１の把手部若しくは筐体の上部付近に内蔵することによって必然的に本アンテナは被操縦体方向に対して略直角に固定されることから、アンテナの放射パターンはヘリコプター玩具のような飛翔体による被操縦体方向に向けて放射パターンが形成されるものである。
【手続補正２４】
【補正対象書類名】明細書
【補正対象項目名】００２８
【補正方法】変更
【補正の内容】
【００２８】  図６はラジオコントロール送信機１の内部に平面アンテナ若しくはチップアンテナを左右一対装着してダイバーシチアンテナとすることの取付構造を示す実施例である  図６（Ａ）において、右アンテナ５ｇと左アンテナ５ｈを把手部４の内部に離して装着した例を示す。  アンテナの固定方法は図２で示した複数のボス部と、図示しないが把手下壁部の間に装着する方法である。  アンテナへの給電はＲＦ基板７に接続された同軸ケーブル６ａを右アンテナ５ｇに接続し、同軸ケーブル５ｈを左アンテナに接続して行なう。
【手続補正２５】
【補正対象書類名】明細書
【補正対象項目名】００２９
【補正方法】変更
【補正の内容】
【００２９】  図６（Ｂ）の実施例は、ラジオコントロール送信機の把手部４を立ち上げるアーム部４ａの中に右アンテナ５ｇを、アーム部４ｂの内部に左アンテナ５ｈを装着したダイバーシチアンテナの一例である。  アンテナの固定方法は左右のアーム部４ａ、４ｂの内部に（図示しないが）、図２と同様のボス部を一体的に設け、これとアーム部４ａ、４ｂの壁面部内に右アンテナ５ａ、５ｂをそれぞれ装着し固定する方法である。  アンテナへの給電はＲＦ基板７に接続された同軸ケーブル６ａ、６ｂにて図６（Ａ）の場合と同様に行なう。
【手続補正２６】
【補正対象書類名】明細書
【補正対象項目名】００３０
【補正方法】変更
【補正の内容】
【００３０】  図６（Ｃ）の実施例は、ラジオコントロール送信機の筐体２の上段部の内面付近に左右に一対の内蔵アンテナを装着したダイバーシチアンテナの実施例である。  この場合把手部４が無かったり、あっても筐体２内に収納されたりする場合のラジオコントロール送信機の筐体２内にダイバーシチアンテナを内蔵する場合、好適であり、図３に示すように複数の上ボス部と複数の下ボス部の間にアンテナを装着することで固定する。  アンテナへの給電はＲＦ基板７に接続された同軸ケーブル６ａ、６ｂにて図６（Ａ）と同様に行なう。
【手続補正２７】
【補正対象書類名】明細書
【補正対象項目名】００３３
【補正方法】変更
【補正の内容】
【００３３】  また、図示しないが、ラジオコントロール送信機の把手部を立ち上げるアーム部の基部をヒンジ機構として、図１（Ｂ）に示す把手部の角度θを変えて、被操縦体が地面や水面を走る模型の場合等と、空中を飛ぶヘリコプターや飛行機の模型などの場合とで、アンテナの仰角などの位置を変えて放射パターン角を変えることも可能である。
【手続補正２８】
【補正対象書類名】明細書
【補正対象項目名】００３４
【補正方法】変更
【補正の内容】
【００３４】  本考案によれば、ラジオコントロール送信機として模型飛行機などのレジャー産業に利用できるばかりか、無人の農薬散布飛行体の無線操縦機などにも利用可能である。
【手続補正２９】
【補正対象書類名】明細書
【補正対象項目名】００３５
【補正方法】変更
【補正の内容】
【００３５】
【図１】（Ａ）は、本考案の実施形態に係る、一般的なラジオコントロール送信機の把手部の内部にアンテナを挿入した状態を示す正面図である。（Ｂ）は、（Ａ）における側面図である。
【図２】（Ａ）は、本考案の実施形態に係る図１（Ａ）のアンテナ実装状態を示した一部破断面としたラジオコントロール送信機の正面図である。（Ｂ）は、（Ａ）のＡ−Ａ′断面を示す図である。
【図３】は、本考案の実施形態に係る、アンテナの他の取付構造の実施例図であって、一般的なラジオコントロール送信機の一部破断面とした正面図である。
【図４】（Ａ）は、本考案の実施形態に係るアンテナの平面図である。（Ｂ）は、（Ａ）の底面図である。（Ｃ）は、（Ａ）の側面図である。
【図５】（Ａ）は、本考案の他の実施形態に係るアンテナの平面図である。（Ｂ）は、（Ａ）の側面図である。
【図６】（Ａ）は、本考案の他の実施例図であって、一般的ラジオコントロール送信機の把手部に一対のアンテナを離して装着してダイバーシチアンテナとし、一部破断面としたラジオコントロール送信機の正面図である。（Ｂ）は、本考案の他の実施例図であって、一般的ラジオコントロール送信機の左右のアーム部にアンテナを装着してダイバーシチアンテナとし、一部破断面としたラジオコントロール送信機の正面図である。（Ｃ）は、本考案の他の実施例図であって、一般的ラジオコントロール送信機の筐体の上方部に左右一対のアンテナを装着してダイバーシチアンテナとした、ラジオコントロール送信機の一部破断面とした正面図である。
【図７】（Ａ）は、従来例を示すラジオコントロール送信機の斜視図であって、ホイップアンテナ送信機の上端部に取り付けられ、且つ、ホイップアンテナの先端方向我が被操縦体方向に向くように取り付けられている図である。（Ｂ）は、（Ａ）のＸ軸方向に放射ビームが形成されるパターン図である。
【手続補正３０】
【補正対象書類名】明細書
【補正対象項目名】００３６
【補正方法】変更
【補正の内容】
【００３６】１  ・・・・・・・ラジオコントロール送信機２  ・・・・・・・筐体２ａ  ・・・・・・合わせ面３、３  ・・・・・スティックレバー４  ・・・・・・・把手部４ａ、４ｂ・・・・アーム部５  ・・・・・・・アンテナ５ａ  ・・・・・・・アンテナ基板５ｂ  ・・・・・・・ミアンダアンテナ部５ｃ  ・・・・・・・励振器５ｄ  ・・・・・・・地板５ｅ  ・・・・・・・スルーホール５ｇ  ・・・・・・・右アンテナ５ｈ  ・・・・・・・左アンテナ５０  ・・・・・・・平面アンテナ５０ａ  ・・・・・・・誘電体基板５１  ・・・・・・・・スリット５２  ・・・・・・・・給電部５３  ・・・・・・・・放射面６    ・・・・・・・・同軸ケーブル７    ・・・・・・・・ＲＦ基板８，８，８、・・・・・・ボス部９ａ、９ｂ、９ｃ・・・・上ボス部１０ａ、１０ｂ、１０ｃ・・下ボス部